(57)【要約】【課題】ナットにおいて、締め付け作業が簡単かつ迅速に行え、しかも、強固かつ確実なゆるみ止め効果が得られるゆるみ止め方法を提供する。【解決手段】一個のナットを途中から軸と直角に三つに切断した形で真ん中のナットを取り除いた第一ナット１１と第三ナット１３とからなり、第三ナット１３には切断面１３１にナットのねじ穴１３２の直径より大径の偏心円柱部１３３が第三ナット１３の中心軸に対して直角方向に偏心されて軸方向外方に突設されていると共に、偏心円柱部１３３の外周にはナットのねじと同方向の雄ねじが形成され大径ねじ部１３４とする一方、第一ナット１１には、切断面１１１に、大径ねじ部１３４と螺合する、大径ねじ穴１１３が第一ナット１１の中心軸に対して直角方向に偏心して開けられていて内部に雌ねじが形成されており、全体をロックナット１とした。【選択図】図１
2020197236.tif 000002
【特許請求の範囲】
【請求項１】
一個のナットを途中からナットの中心軸と直角方向に三つに切断したような形で上から第一ナット、第二ナット、第三ナットとすると、第二ナットを取り除いて第一ナットと第三ナットとで構成されるロックナットであって、
第一ナットと第二ナットと第三ナットは、一本のボルトに螺合する雌ねじをナットのねじ穴にそれぞれ有しており、
第三ナットには第二ナットとの切断面側に第三ナットのねじ穴の直径より大径の偏心円柱部が第三ナットの中心軸に対して直角方向に偏心されて軸方向外方に突設されていると共に、偏心円柱部の外周には第三ナットのねじ穴のねじと同方向の雄ねじが形成されている大径ねじ部が設けられている一方、
第一ナットには、第二ナットとの切断面側に、前記大径ねじ部と螺合する、大径ねじ穴が第一ナットの中心軸に対して直角方向に偏心して開けられていて内部に第一ナットのねじ穴のねじと同方向の雌ねじが形成されており、
第三ナットの大径ねじ部を第一ナットの大径ねじ穴に、相対向する切断面が接する状態まで螺合させた後大径ねじ部を緩める方向に回転させて第一ナットと第三ナットを第二ナットの厚さ分だけ離すと、第一ナットのナットのねじ穴の中心軸と第三ナットのナットのねじ穴の中心軸とが一致しかつ第一ナットのナットのねじ穴のピッチと第三ナットのナットのねじ穴のピッチとが連続するように構成した、
ロックナット。
【請求項２】
大径ねじ部のピッチと第三ナットのねじ穴のねじのピッチが異なる
請求項１に記載されているロックナット。
【請求項３】
大径ねじ部のピッチと第三ナットのねじ穴のねじのピッチが同じ
請求項１に記載されているロックナット。
【請求項４】
第一ナットの外周側面及び第三ナットの外周側面とに印を付け、第一ナットのナットのねじ穴の中心軸と第三ナットのナットのねじ穴の中心軸とが一致しかつ第一ナットのナットのねじ穴のピッチと第三ナットのナットのねじ穴のピッチとが連続すると第一ナットの外周側面の印と第三ナットの外周側面の印とが一致するように構成した
請求項１又は請求項２又は請求項３に記載されているロックナット。
【請求項５】
第一ナットと第三ナットの間にスペーサーを挟み、第三ナットの大径ねじ部を第一ナットの大径ねじ穴に、相対向する切断面でスペーサーを軽く締め付ける状態まで螺合させると、第一ナットのナットのねじ穴の中心軸と第三ナットのナットのねじ穴の中心軸とが一致しかつ第一ナットのナットのねじ穴のピッチと第三ナットのナットのねじ穴のピッチとが連続するように構成した
請求項１又は請求項２又は請求項３又は請求項４に記載されているロックナット。
【発明の詳細な説明】
【技術分野】
【０００１】
本発明は、緩まないナットに関する。詳しくは、緩み止めのついたナットに関する。
【背景技術】
【０００２】
ナットにおいて振動や衝撃が加わると、瞬間的にナットと締め付け面との間に隙間ができて、ナットに荷重が働かなくなり、それに伴ってナットに回転が生じて緩みが発生することが知られている。このようなナットの緩みを防止するために、ナットを２個使用し、二つのナットを工具で互いに逆方向に締めるダブルナット方式が従来から知られている。
【０００３】
しかしながら、上記従来のダブルナット方式では、ナットが２個必要な上、１本のボルトに２個のナットを別々に螺合する作業が必要になるため作業性が悪い問題があった。
【先行技術文献】
【特許文献】
【０００４】
【特許文献１】特開２０１８−４０４９５
【発明の概要】
【発明が解決しようとする課題】
【０００５】
本発明は、従来の２個のナットによるナットのロック方式の課題を解決するものであり、１個のような状態のナットを１本のボルトに１回螺合するだけで、ナットをロックする作業が簡単かつ迅速に行え、しかも、確実かつ強固な緩み止め効果が得られるナットのロック方式を提供する。
【課題を解決するための手段】
【０００６】
上記課題を解決するために、本発明のロックナットは、一個のナットを途中からナットの中心軸と直角方向に三つに切断したような形で上から第一ナット、第二ナット、第三ナットとすると、第一ナットと第二ナットと第三ナットは、一本のボルトに螺合する雌ねじをナットのねじ穴にそれぞれ有しており、本ナットは第二ナットを取り除いた第一ナットと第三ナットとからなるロックナットであって、
第三ナットには第二ナットとの切断面に第三ナットのねじ穴の直径より大径の偏心円柱部が第三ナットの中心軸に対して直角方向に偏心されて軸方向外方に突設されていると共に、偏心円柱部の外周には第三ナットのねじ穴のねじと同じ方向の雄ねじが形成されていて大径ねじ部を形成する一方、
第一ナットには、第二ナットとの切断面に、前記大径ねじ部と螺合する、大径ねじ穴が第一ナットの中心軸に対して直角方向に偏心して開けられていて内部に第一ナットのねじ穴のねじと同じ方向の雌ねじが形成されており、
第三ナットの大径ねじ部を第一ナットの大径ねじ穴に、相対向する切断面が接する状態まで螺合させた後大径ねじ部を緩める方向に回転させて第一ナットと第三ナットを第二ナットの厚さ分だけ離すと、両者のナットのねじ穴のねじの中心軸が一致しピッチが連続するように構成する。
【０００７】
このロックナットの使用方法について説明すると、常時は、第三ナットの大径ねじ部が第一ナットの大径ねじ穴に、相対向する切断面が接した状態で螺合されているが第二ナットが無い分第一ナットと第三ナットはずれていて、両者のナットのねじ穴のねじの中心軸及びピッチもずれている状態になっており第一ナットと第三ナットを同時に１本のボルトに螺合することはできないが、緩まないナットとして使用する時は大径ねじ部を緩める方向に回して第一ナットと第三ナットを第二ナットの厚さ分だけ離すと両者のナットのねじ穴のねじの中心軸が一致しピッチが連続する状態にセットされて一個のナットのような状態になり、そのセット状態のまま第一ナットと第三ナットをボルトに螺合し第三ナットに所定のトルクが作用するまで締め付け方向に第一ナットと第三ナットを同時に回転させた後、この回転方向と同一方向に、第一ナットのみ所定角度回転させる。これにより、径方向のずれによるロック作用により緩み止めされるのである。
【０００８】
このロックナットは、第一ナットと第三ナットを組み合わせた１個のナットのような状態で締め付け方向に回転させた後、この回転方向と同一方向に、第一ナットのみ所定角度回転させるという比較的簡単で迅速に行える動作によって、確実かつ強固な緩み止め効果が得られるという優れた特徴を有する。
【発明の効果】
【０００９】
本発明により、第一ナットと第三ナットを組み合わせた１個のような状態のナットでボルトの締め付け作業が比較的簡単かつ迅速に行え、しかも、確実かつ強固な緩み止め効果が得られるロックナットを提供することができる。
【図面の簡単な説明】
【００１０】
【図１】第一ナットと第三ナットの断面図である。
【図２】図１のロックナットの正面図である。
【図３】図１のロックナットの上面図である。
【図４】図１のロックナットの第一ナットと第三ナットを組み合わせた状態の断面図である。
【図５】図１のロックナットの第一ナットと第三ナットを組み合わせた状態の正面図である。
【図６】図１のロックナットの第一ナットと第三ナットを組み合わせた後第二ナットの厚み分戻した状態の断面図である。
【図７】図１のロックナットの第一ナットと第三ナットを組み合わせた後第二ナットの厚み分戻した状態の正面図である。
【図８】図６のロックナットにおいて第一ナットと第三ナットをセットした状態で締め付け方向に回転させる様子を示す断面図である。
【図９】図６のロックナットにおいて、図８の状態から第一ナットのみを第三ナットに対し所定角度回転させる様子を示す断面図である。
【図１０】大径ねじ部のねじのピッチとナットのねじのピッチが同じロックナットの断面図である。
【図１１】図１のロックナットにおいて、第一ナットと第三ナットを組み合わせた後第二ナットの厚み分戻した状態を示すねじ一致印を設けたロックナットの正面図である。
【図１２】図１１のロックナットにおいて、第三ナットの大径ねじ部が第一ナットの大径ねじ穴に、相対向する切断面が接した状態で螺合されているロックナットの正面図である。
【図１３】図１２のロックナットから大径ねじ部を緩める方向に回して第二ナットの厚さだけ第一ナットと第三ナットを離した状態のロックナットの正面図である。
【図１４】図１のロックナットにおいて、第一ナットと第三ナットの間にスペーサーを挟んだロックナットの断面図である。
【図１５】図１４のロックナットの上面図である。
【図１６】図１４のロックナットにおいて、セット状態を維持するロックナットの断面図である。
【発明を実施するための形態】
【００１１】
図を用いてロックナットの実施形態を例示説明する。
以下の実施形態はあくまで本発明を掲示説明するものであって、本発明は、以下の具体的な実施形態に限定されるものではない。
【実施例１】
【００１２】
ロックナット１は、図１に示すように、一個のナットを途中からナットの中心軸と直角方向に三つに切断した形で上から第一ナット１１、第二ナット、第三ナット１３とすると、第二ナットを取り除いて第一ナット１１と第三ナット１３とから構成され、第一ナット１１と第二ナットと第三ナット１３は、一本のボルト１５に螺合する雌ねじをナットのねじ穴にそれぞれ有しており、第一ナット１１と第三ナット１３はねじの中心軸を合わせて第二ナットの厚さだけ離すとピッチが一つのナットのように連続する。
【００１３】
１．第一ナット１１
第一ナット１１は、内側にボルト１５に螺合するねじがあるナットのねじ穴１１２を有する。本実施形態では、第一ナット１１は、上面視または側面視において、普通のナットの外形形状である。
【００１４】
そして、第一ナット１１には、第二ナットとの切断面１１１に大径ねじ穴１１３が形成されており、大径ねじ穴１１３のねじの方向は第一ナット１１のナットのねじ穴１１２と同一方向である。
【００１５】
大径ねじ穴１１３は、第一ナット１１のナットのねじ穴１１２の直径より大きい。また、大径ねじ穴１１３は、第一ナット１１の中心軸に対して直角方向に偏心されて形成されている。
【００１６】
２．第三ナット１３
第三ナット１３も、内側にボルト１５に螺合するねじがあるナットのねじ穴１３２を有する。ナットのねじ穴１３２は、第一ナット１１のナットのねじ穴１１２と連続するためナットのねじ穴１１２と同一方向および同一ピッチである。ナットのねじ穴のねじのピッチは第一ナット１１、第二ナット、第三ナット１３の各切断面が接している時連続したピッチとなり、第一ナット１１と第三ナット１３を第二ナットの厚さだけ離しても第一ナット１１と第三ナット１３は連続したピッチとなる。
本実施形態では、第三ナット１３は上面視において、普通のナットの外形形状である。
【００１７】
そして、第三ナット１３には、第二ナットとの切断面１３１に偏心円柱部１３３が突設されている。この偏心円柱部１３３は、ナット１３のナットのねじ穴１３２の直径よりも大径である。また、偏心円柱部１３３は、ナット１３の中心軸に対し直角方向に偏心されて突設されている。ナット１３の中心軸に対する偏心円柱部１３３の偏心寸法は、第一ナット１１における、第一ナット１１の中心軸に対する大径ねじ穴１１３の偏心寸法と等しい。
【００１８】
また、偏心円柱部１３３の外周には、雄ねじが形成されていて大径ねじ部１３４が形成されており、大径ねじ部１３４のねじの方向は第三ナット１３のナットのねじ穴１３２と同一方向である。
【００１９】
そして、図４及び図５に例示するように、第３ナット１３の大径ねじ部１３４を第一ナット１１の大径ねじ穴１１３に、第一ナット１１と第三ナット１３の相対向する切断面１１１と切断面１３１が接した状態に螺合させると、第一ナット１１と第三ナット１３とは第二ナットが無いため側面視で食い違って１個のナットのようにはならない。
【００２０】
そこで、切断面１１１と切断面１３１が接した状態に螺合された状態から図６及び図７に例示するように、大径ねじ部１３４を緩む方向に回転させて、第一ナット１１と第三ナット１３を第二ナットの厚さの分だけ離すと第一ナット１１と第三ナット１３とは側面視で隙間の開いた１個のナットのようになると同時に両者のナットのねじ穴１１２とナットのねじ穴１３２の中心軸は一致しピッチが連続するように構成されている。
【００２１】
３．ロックナット１の使用方法
３．１セット状態（締結直前の状態）
ロックナット１による締結に先だって、第一ナット１１と第三ナット１３を組み合わせてセット状態とする。具体的には、第一ナット１１の大径ねじ穴１１３に第三ナット１３の大径ねじ部１３４を、相対向する切断面１１１と切断面１３１が接した状態まで螺合した後大径ねじ部１３４を緩む方向に回転させて、第一ナット１１と第三ナット１３を第二ナットの厚さの分だけ離す。図６及び図７に例示するように、これがセット状態である。
【００２２】
セット状態では、第一ナット１１と第三ナット１３とが側面視で隙間が開いた一個のナットのようになると同時に両者のナットのねじ穴１１２とナットのねじ穴１３２の中心軸は一致しピッチは連続する。そのため、第一ナット１１と第三ナット１３をあたかも一つのナットのようにボルト１５に螺合させることができる。
【００２３】
３．２締結時
そして、ロックナット１による締結時には、まず、セット状態の第一ナット１１と第三ナット１３を、ボルト１５に螺合し、所定のトルクが作用するまで締め付け方向に回転させる。
このとき、図８に示すように、ボルト１５に対して第一ナット１１と第三ナット１３を１本のスパナ又はボックスレンチで同時に挟むことにより同時に力を加えてボルト１５に所定のトルクが作用するまで締め付け方向に同時に回転させる。
【００２４】
その後、図９に示すように第一ナット１１のみを、第三ナット１３に対し、締め付け方向と同一方向に所定角度回転させる。所定角度としては第一ナット１１の中心軸からの偏心の量によるが１５〜１８０度の範囲てある。
【００２５】
こうすることによって、径方向のずれによるロック作用により緩み止めされるのである。
【００２６】
このように、本発明のロックナットは、第一ナット１１と第三ナット１３で部材１４を締め付けた後、第一ナット１１のみを更に所定角度回転させることによって、簡単で迅速かつ確実で強固な緩み止め効果が得られるという優れた特徴を有するのである。
【実施例２】
【００２７】
実施例１では、大径ねじ部１３４のピッチがナットのねじ穴１３２のピッチより大きくしてあるが、図１０に示すように大径ねじ部１３４のピッチがナットのねじ穴１３２のピッチと同じでも実施例１と同様に簡単で迅速かつ確実で強固な緩み止め効果が得られる。
【実施例３】
【００２８】
実施例１で第一ナット１１の切断面１１１と第三ナット１３切断面１３１とが接した状態に大径ねじ部１３４と大径ねじ穴１１３とが螺合された状態から、大径ねじ部１３４を緩む方向に回転させて、ナットのねじ穴１１２とナットのねじ穴１３２の中心軸を一致させピッチを連続させるには第一ナット１１と第三ナット１３とが側面視で隙間の開いた１個のナットのようになるまで大径ねじ部１３４を緩む方向に回転させれば良いが、大径ねじ部１３４のナットの中心軸からの偏心の量が少ない場合、一致したかどうか見分けるのが難しいことがある。そのため図１１に示すように第一ナット１１にねじ一致印１１５を設定し、第三ナット１３にねじ一致印１３５を設定する。図１２に示すようにナットのねじ穴１１２とナットのねじ穴１３２の中心軸が一致していない又はビッチが連続していない場合第一ナット１１のねじ一致印１１５と第三ナット１３のねじ一致印１３５は一致しない。図１３に示すようにナットのねじ穴１１２とナットのねじ穴１３２の中心軸が一致しピッチが連続した場合第一ナット１１のねじ一致印１１５と第三ナット１３のねじ一致印１３５は一致するように構成する。
【００２９】
これにより第一ナット１１の切断面１１１と第三ナット１３切断面１３１とが接した状態に螺合された状態から、大径ねじ部１３４を緩む方向に回転させて、ナットのねじ穴１１２とナットのねじ穴１３２の中心軸を一致させピッチを連続させることが簡単で確実に行うことができる。
【００３０】
なおねじ一致印はナットの側面に塗料を塗るまたは、ナットの側面に傷を付けるまたは、ナットの側面を少し凹ませることで付けることができる。
【実施例４】
【００３１】
実施例１で第一ナット１１の切断面１１１と第三ナット１３切断面１３１とが接した状態に螺合された状態から、大径ねじ部１３４を緩む方向に回転させて、ナットのねじ穴１１２とナットのねじ穴１３２の中心軸を一致させピッチを連続させるセット状態にさせる作業を不要にするために図１４、図１５、図１６に示すように第一ナット１１と第三ナット１３の間にスペーサー１６を挟む。スペーサー１６の厚さは第二ナットの厚さより少し厚くしておく。第一ナット１１の大径ねじ穴１１４に第三ナット１３の大径ねじ部１３４を、切断面１１１と切断面１３１とでスペーサー１６を軽く挟んだ状態まで螺合するとナットのねじ穴１１２とナットのねじ穴１３２の中心軸を一致させピッチを連続させることができ、かつセット状態を保つことができ、セット状態で出荷できる。これによりナットのねじ穴１１２とナットのねじ穴１３２の中心軸を一致させピッチを連続させる作業を不要にすることができる。
【００３２】
なおスペーサーの形状についてはワッシャ形、リング形、ばねワッシャ形、コイル形があり、スペーサーの材質についてはゴム、ビニル、金属、プラスチック、木、紙、布がある。
【００３３】
実施例１で、図９に示すように第一ナット１１のみを、第三ナット１３に対し、締め付け方向と同一方向に所定角度回転させる際には、スペーサーの形状と材質からスペーサーの厚さが縮むことでスペーサーは第一ナット１１の回転の妨げにはならない。
【符号の説明】
【００３４】
１  ロックナット
１１  第一ナット
１１１  切断面
１１２  ナットのねじ穴
１１３  大径ねじ穴
１１５  ねじ一致印
１３  第三ナット
１３１  切断面
１３２  ナットのねじ穴
１３３  偏心円柱部
１３４  大径ねじ部
１３５  ねじ一致印
１４  部材
１５  ボルト
１６  スペーサー
２  ロックナット
２１  第一ナット
２１３  大径ねじ穴
２３  第三ナット
２３４  大径ねじ部
【図１】
2020197236.tif 000003
【図２】
2020197236.tif 000004
【図３】
2020197236.tif 000005
【図４】
2020197236.tif 000006
【図５】
2020197236.tif 000007
【図６】
2020197236.tif 000008
【図７】
2020197236.tif 000009
【図８】
2020197236.tif 000010
【図９】
2020197236.tif 000011
【図１０】
2020197236.tif 000012
【図１１】
2020197236.tif 000013
【図１２】
2020197236.tif 000014
【図１３】
2020197236.tif 000015
【図１４】
2020197236.tif 000016
【図１５】
2020197236.tif 000017
【図１６】
2020197236.tif 000018